(57)【特許請求の範囲】
【請求項１】
光源部を囲む反射傘部を有する光源ランプを筺体の内部に着脱可能な内視鏡の光源装置において、
光源ランプの反射傘部の先端に該反射傘部よりも大径のフランジ部を備え、
筺体に形成した光源ランプ挿脱用の窓部を開閉する蓋部材を備え、
この蓋部材に、光源ランプのフランジ部が係脱可能なフランジ係合部を備えたことを特徴とする内視鏡光源装置。
【請求項２】
請求項１記載の内視鏡光源装置において、上記フランジ係合部は、光源ランプのフランジ部が進入可能な間隔を空けて蓋部材の内側面に対向させて支持された板状体からなり、
該板状のフランジ係合部は、光源ランプに対して板厚方向への反射傘部の通過を許しフランジ部の通過を許さず、かつ板厚と直交する方向へ反射傘部を挿脱可能とさせる溝部を有している内視鏡光源装置。
【発明の詳細な説明】
【技術分野】
【０００１】
本発明は、内視鏡の光源装置に関する。
【背景技術】
【０００２】
光学内視鏡や電子内視鏡では、挿入される対象物の内部を照明して観察を可能にするべく、照明手段が設けられる。照明手段として、内視鏡本体とは別体の外部装置として設けられる光源装置と、内視鏡挿入部内に設けられる配光用の照明光学系と、内視鏡内に配設されて光源装置と照明光学系を光学的に接続する光ガイドケーブルとを備えたものが知られている。光源装置は、光ガイドケーブルの端部が着脱可能なコネクタ部を備えた筺体（ハウジング）と、この筺体内に位置する光源ランプとを備えており、コネクタ部に光ガイドケーブルを接続した状態で光源ランプを点灯すると、光源ランプ側もしくはコネクタ部側に設けた集光光学系によって光源光が集光されて、光ガイドケーブルの端面に入射される。
【０００３】
このような内視鏡の光源装置では、光源ランプが切れた場合の交換作業を容易に行えることが望まれている。例えば、特許文献１では、光源装置の筺体内部に格納されるランプ点灯位置と、筺体の窓部から外部に出るランプ交換位置との間で移動自在な可動ランプ搭載台を設け、この可動ランプ搭載台に光源ランプを支持させることにより、筺体からの光源ランプの引き出しを容易にして交換作業性を向上させている。
【特許文献１】特開２００３-２９０１４１号公報
【発明の開示】
【発明が解決しようとする課題】
【０００４】
ところで、光源装置の筺体内では、給電用の端子を有するソケットに対して光源ランプの電極プラグが差し込まれており、光源ランプの交換時には、この電極プラグをソケットから引き抜く必要がある。従来は、光源ランプとソケットをそれぞれ手で把持して引き抜きを行っていた。そのため、電極プラグとソケットの接続が固い場合には引き抜きにくく、また引き抜き時に角度をつけて引っ張って接続個所にストレスをかけてしまうおそれがあった。また、使用直後の光源ランプは高温であるため取り扱いに注意を要する。そこで本発明は、光源ランプの交換を安全かつ容易に行うことのできる内視鏡光源装置を提供することを目的とする。
【課題を解決するための手段】
【０００５】
本発明は、光源部を囲む反射傘部を有する光源ランプを筺体の内部に着脱可能な内視鏡の光源装置において、光源ランプの反射傘部の先端に該反射傘部よりも大径のフランジ部を備え、筺体に形成した光源ランプ挿脱用の窓部を開閉する蓋部材を備え、この蓋部材に、光源ランプのフランジ部が係脱可能なフランジ係合部を備えたことを特徴としている。
【０００６】
フランジ係合部は様々な態様をとることができるが、例えば、光源ランプのフランジ部が進入可能な間隔を空けて蓋部材の内側面に対向させて支持された板状体から構成することができる。この場合、板状のフランジ係合部には、光源ランプに対して、板厚方向への反射傘部の通過を許しフランジ部の通過を許さず、かつ板厚と直交する方向へ反射傘部を挿脱可能とさせる溝部を形成するとよい。
【発明の効果】
【０００７】
以上の本発明の内視鏡光源装置によれば、光源ランプに設けたフランジ部を蓋部材のフランジ部に係合させることによって、光源ランプを交換する際の作業性と安全性を向上させることができる。
【発明を実施するための最良の形態】
【０００８】
図１に示す光源装置１０は、直方体状の筺体１１を備え、筺体１１の内部にランプ格納空間１２を有している。筺体１１内には図示しない電源ユニットが設けられ、この電源ユニットからランプ格納空間１２内へ延設された一対の電源ケーブル１３の先端部に、給電用の端子を内蔵したソケット１４が設けられている。
【０００９】
ソケット１４に対しては光源ランプ１５が着脱可能である。光源ランプ１５は、ハロゲンバルブなどの発光体からなる光源部１６と、光源部１６を囲む円錐形状の反射傘部１７と、反射傘部１７の後端部から後方に突出する一対の電極プラグ１８（図３）を有している。反射傘部１７の内面は光反射面となっている。また、反射傘部１７の先端部外縁には、環状をなすフランジ部１９が形成されている。
【００１０】
ソケット１４には光源ランプ１５の電極プラグ１８を挿入可能なプラグ挿入孔（不図示）が形成されていて、このプラグ挿入孔に電極プラグ１８を差し込むと、電極プラグ１８がソケット１４内の給電用端子に接触して光源部１６と電源ユニットが電気的に接続され、光源部１６を発光させることが可能な状態になる。ソケット１４は電極プラグ１８を保持する保持手段を備えていて、その保持力によって、ソケット１４に対する光源ランプ１５の装着状態が維持される。換言すれば、光源ランプ１５をソケット１４から取り外す（引き抜く）ときには、所定の大きさの抵抗が作用するように構成されている。
【００１１】
筺体１１には、図示しない内視鏡の光ガイドケーブルの端部が接続されるケーブルコネクタ２０が設けられている。ケーブルコネクタ２０はランプ格納空間１２内に向く集光レンズを備えていて、ランプ格納空間１２内には、この集光レンズに反射傘部１７が対向するように光源ランプ１５を保持させるランプ取付部（不図示）が設けられている。このランプ取付部に光源ランプ１５を取り付けた状態で光源部１６を発光させると、反射傘部１７によって集光レンズ側へ光が反射され、集光レンズは、この光源光を集光して、ケーブルコネクタ２０に接続した光ガイドケーブルの一方の端部へ入射させる。内視鏡の内部に配設された光ガイドケーブルの他端部は内視鏡の挿入部先端に設けた照明光学系に臨んでおり、この光ガイドケーブルの他端部から出射された光が、照明光学系を通して内視鏡の観察対象に向けて照明光として配光される。
【００１２】
筺体１１の一側面には、ランプ格納空間１２と外部を連通する矩形状をなす、光源ランプ挿脱用の窓部２５が形成されており、筺体１１の一部として、窓部２５に対応する形状の蓋部材２７を備えている。窓部２５の四隅にはねじ孔を有する当付面部２６（図１には２つのみが見えている）が形成されている。蓋部材２７は、当付面部２６に当て付けることで筺体１１の外面と略面一になって窓部２５を塞ぎ、このとき四隅に形成した４つのねじ挿通孔２８がそれぞれ当付面部２６のねじ孔に対応して位置される。そして、各ねじ挿通孔２８を通して固定ねじ２９を当付面部２６のねじ孔に螺合させることにより、蓋部材２７が筺体１１に固定されて窓部２５が塞がれる。
【００１３】
図２に示すように、蓋部材２７には、筺体１１に取り付けたときにランプ格納空間１２側に臨む内側面３２に、フランジ係合部３０が設けられている。フランジ係合部３０は、傘部進入溝３１を有するＵ字形状の板状体からなっていて、フランジ部１９が進入可能な間隔を空けて内側面３２に対向させて支持（固定）されている。傘部進入溝３１の溝幅Ｗは、光源ランプ１５の反射傘部１７のうち先端部付近の径Ｄ１と略等しく、光源ランプ１５におけるフランジ部１９は、これより大きい径Ｄ２を有する。つまり、傘部進入溝３１は、フランジ係合部３０の板厚方向（蓋部材２７やフランジ係合部３０の平面と直交する方向）への反射傘部１７の通過は許すがフランジ部１９の通過は許さない幅の溝部となっている。また、傘部進入溝３１は、その一部がフランジ係合部３０の外縁部に開口されており、この開口部を通して、フランジ係合部３０の板厚と直交する方向（蓋部材２７やフランジ係合部３０の平面に沿う方向）への反射傘部１７の挿脱を許す。この開口部と反対側の傘部進入溝３１の奥部は、光源ランプ１５の反射傘部１７の先端部外周形状に対応した半円形状をなしている。
【００１４】
よって、図３に示すように、蓋部材２７の内側面３２とフランジ係合部３０の対向面間にフランジ部１９を差し込む態様で、光源ランプ１５を蓋部材２７に支持させることができる。具体的には、図２に矢印Ａ１で示すように、フランジ部１９を蓋部材２７の内側面３２に当て付けてから、内側面３２に沿う方向（フランジ係合部３０の板厚と直交する方向）に光源ランプ１５をスライドさせることによって、反射傘部１７の先端部が傘部進入溝３１内に進入すると共に、フランジ部１９が内側面３２とフランジ係合部３０の間に入り込む。そして、フランジ部１９の径Ｄ２と傘部進入溝３１の開口幅ＷはＤ２＞Ｗの関係にあるため、フランジ部１９とフランジ係合部３０の係合関係によって、蓋部材２７の内側面３２から離れる方向への光源ランプ１５の移動が規制される。つまり、蓋部材２７に対して光源ランプ１５が、フランジ係合部３０の板厚方向へ抜け止めされた状態で保持される。このとき、半円状に形成された傘部進入溝３１の奥部に対して反射傘部１７の先端部外周面がフィットし、光源ランプ１５が安定して保持される。
【００１５】
光源ランプ１５を交換するときには、まず、固定ねじ２９による固定を解除して筺体１１から蓋部材２７を取り外す。続いて、図１に示すように窓部２５を通して光源ランプ１５を筺体１１の外部に引き出し、前述した取り付け手順に従って、図２及び図３に示すようにフランジ部１９をフランジ係合部３０の背後位置に差し込んで光源ランプ１５を蓋部材２７に取り付ける。そして、蓋部材２７を保持しつつ、図３に矢印Ａ２で示すように電極プラグ１８からソケット１４を引き抜く。このソケット１４の引き抜き方向へは、フランジ部１９とフランジ係合部３０の係合関係によって、蓋部材２７に対して光源ランプ１５が移動規制されているので、蓋部材２７を保持しておくことで、光源ランプ１５がソケット１４に追随することなく、確実に電極プラグ１８とソケット１４の結合を解除させることができる。ソケット１４から外れた状態で、光源ランプ１５を傘部進入溝３１に沿ってスライドさせて蓋部材２７から取り外す。
【００１６】
このように、光源ランプ１５を蓋部材２７のフランジ係合部３０に係合させた状態でソケット１４から取り外すことにより、取り外し方向の力を安定して加え易くなり、ソケット１４と電極プラグ１８の接続が固い場合でも破損などを生じずに確実に光源ランプ１５を取り外すことが可能になる。例えば、光源ランプ１５を直接に把持して取り外しを行う態様では、接続が固い場合に光源ランプ１５とソケット１４をこじって接続部分にストレスがかかるおそれがあるが、光源ランプ１５を蓋部材２７に係合支持させておくことにより、正しい取り外し方向に大きな力を加えることができ、無理な方向へ力をかけてしまうおそれが軽減される。また、光源ランプ１５に直接触れずに取り外しできるので、光源ランプ１５が使用直後の高温の状態でも迅速かつ安全に交換作業を行うことができる。そして、交換時に光源ランプ１５が取り付けられる蓋部材２７は、窓部２５を塞ぎ筺体１１の外面を構成する部材なので、部品点数が増えることがない。
【００１７】
なお、光源装置１０の使用時にランプ格納空間１２内の所定位置に光源ランプ１５を保持させるランプ取付部が、蓋部材２７のフランジ係合部３０と同様に、フランジ部１９に係合して光源ランプ１５を保持する構造であると、光源ランプ１５の使用時と交換時のいずれにおいてもフランジ部１９が有効に活用されることになり好ましい。
【００１８】
以上、図示実施形態に基づき本発明を説明したが、発明の要旨を逸脱しない限りにおいて図示実施形態とは異なる構成にすることができる。例えば、図示実施形態のフランジ係合部３０は、蓋部材２７の内側面３２に対して若干離間させて固定されたＵ字状の板状部材であるが、光源ランプ１５の交換作業に際してフランジ部１９を保持できるものであれば、フランジ係合部の形状はこれに限定されない。
【図面の簡単な説明】
【００１９】
【図１】本発明の内視鏡光源装置で、蓋部材を筺体から外し、光源ランプ挿脱用の窓部を通して光源ランプを筺体外に引き出した状態を示す斜視図である。
【図２】蓋部材の内側面に設けたフランジ係合部に対して、ソケットと接続された状態の光源ランプのフランジ部を係合させていく状態を示す斜視図である。
【図３】蓋部材のフランジ係合部に光源ランプのフランジ部を係合させ、光源ランプの電極プラグからソケットを引き抜いた状態を示す斜視図である。
【符号の説明】
【００２０】
１０  光源装置
１１  筺体
１２  ランプ格納空間
１３  電源ケーブル
１４  ソケット
１５  光源ランプ
１６  光源部
１７  反射傘部
１８  電極プラグ
２０  ケーブルコネクタ
２５  窓部
２６  当付面部
２７  蓋部材
２８  ねじ挿通孔
２９  固定ねじ
３０  フランジ係合部
３１  傘部進入溝
３２  蓋部材の内側面
【図１】
0005075530.tif 000002
【図２】
0005075530.tif 000003
【図３】
0005075530.tif 000004